(57)【特許請求の範囲】
【請求項１】
ポーチ庇を下側から支える玄関ポーチの支柱の中に、ポーチ庇の雨水を排水する排水樋を備えた玄関ポーチの支柱構造であって、
支柱が断面四角筒体の一つの角部を面取りしてなる五角筒体でなり、この面取り部を玄関ポーチの内側に向けて立設され、前記支柱の上端と下端が座板付きになされ、支柱の面取り部に着脱自在の蓋付き開口が設けられ、この開口内部から上端の座板をポーチ庇の構造体にボルト等の固定具で固定可能になされ、上下の座板に排水樋の挿入孔が形成され、支柱の中に排水樋を挿通可能になされていることを特徴とする排水樋を備えた玄関ポーチの支柱構造。
【発明の詳細な説明】
【０００１】
【発明の属する技術分野】
本発明は、排水樋を備えた玄関ポーチの支柱構造に関する。
【０００２】
【従来の技術】
従来の玄関ポーチは、例えば，ポーチ庇と、ポーチ庇の先端側を下側から支える支柱とからなり、このポーチ庇の雨水を集めて排水する排水樋を支柱の横に並べて設置し、ブラケット等により支柱に固定していた（例えば、特開昭６２−１７６３１号公報参照）。
【０００３】
【発明が解決しようとする課題】
しかしながら、上記公報記載の如き玄関ポーチにおいては、排水樋が支柱の横に露出しているので、外観を損なうという問題と、冬季の厳寒期に排水樋の中を流れる雨水が凍結膨張して排水樋が破損するという問題がある。
また、ポーチ庇を下側から支える支柱の固定は、支柱の上端をポーチ庇の軒天井にボルト等の固定具で固定しているが、この固定具が露出するので外観を損なう問題がある。
【０００４】
本発明は、上記従来技術の問題を解決するためになされたものであって、本発明の目的は、外観意匠性にすぐれ、凍結破損しにくい排水樋を備えた玄関ポーチの支柱構造を提供することである。
【０００５】
【課題を解決するための手段】
請求項１記載の本発明は、ポーチ庇を下側から支える玄関ポーチの支柱の中に、ポーチ庇の雨水を排水する排水樋を備えた玄関ポーチの支柱構造であって、
支柱が断面四角筒体の一つの角部を面取りしてなる五角筒体でなり、この面取り部を玄関ポーチの内側に向けて立設され、前記支柱の上端と下端が座板付きになされ、支柱の面取り部に着脱自在の蓋付き開口が設けられ、この開口内部から上端の座板をポーチ庇の構造体にボルト等の固定具で固定可能になされ、上下の座板に排水樋の挿入孔が形成され、支柱の中に排水樋を挿通可能になされていることを特徴としている。
【０００６】
（作用）
請求項１記載の本発明によると、玄関ポーチの支柱の中に、ポーチ庇の雨水を排水する排水樋を備えているので、排水樋が露出せず外観意匠性にすぐれ、且つ、凍結破損しにくい。
【０００７】
さらに、支柱が断面四角筒体の一つの角部を面取りしてなる五角筒体でなり、この面取り部を玄関ポーチの内側に向けて立設されているので、内部に支柱の出っ張りが出ない形状となり、意匠的によい。
【０００８】
さらにまた、支柱の上端と下端が座板付きになされ、支柱の面取り部に着脱自在の蓋付き開口が設けられ、この開口内部から上端の座板をポーチ庇の構造体にボルト等の固定具で固定可能になされているので、固定具が外部に露出せず、外観意匠性にすぐれる。
【０００９】
さらにまた、上下の座板に排水樋の挿入孔が形成され、支柱の中に排水樋を挿通可能になされているので、排水樋の取付け施工性がよい。
そしてまた、支柱の上端と下端が座板付きになされているので、支柱の上端をポーチ庇の構造体と、下端を土間等に設けられた基礎と固定する支柱の取付け施工性がよい。
【００１０】
【発明の実施の形態】
以下、本発明の実施の形態について図１〜図３を参照しながら詳細に説明する。
図１は本発明の一実施例を示す支柱であって、（イ）図は正面図、（ロ）図は上端面図、（ハ）図は下端面図、（ニ）図は（イ）図のＡ−Ａ線における断面図、（ホ）図は支柱本体と蓋を分解して示す断面図である。図２（イ）図は模式的に示す玄関ポーチの平面図、（ロ）図は玄関ポーチの斜視図である。図３は図２（イ）図のＢ−Ｂ線における断面図である。
【００１１】
図１〜図３において、１は玄関ポーチ、２はポーチ庇、３は支柱、４は排水樋、Ｔは建物、Ｄは土間である。
本実施例において、玄関ポーチ１は、ポーチ庇２と、ポーチ庇２の先端側を下側から支える二本の支柱３、３とからなっている。そして、支柱３の下端部は、玄関部の土間Ｄに支持固定されている。
上記ポーチ庇２の基端側は、玄関部の建物Ｔの構造体に取り付けられ、玄関上水切りにより建物Ｔの外壁と水切りされている。
上記ポーチ庇２の上面には水勾配が付けられ、その水下側（支柱３の上部位置）に設けられた雨水の排水口に排水樋４が接続されるが、本実施例では、玄関ポーチ１の一方の支柱３の中に上記排水樋４が挿通されて取り付けられている。
【００１２】
支柱３は、図１に示すように、断面四角筒体の一つの角部を面取りしてなる五角筒体でなる支柱本体３１と、支柱本体３１の上端に取り付けられた上部座板３２と、支柱本体３１の下端に取り付けられた下部座板３３とからなっている。
そして、図２（イ）図に示すように、上記五角筒体でなる支柱本体３１の面取り部を玄関ポーチ１の内側に向けて立設されている。
【００１３】
支柱本体３１の面取り部には、図１（ニ）、（ホ）図に示すように、着脱自在の蓋３４付き開口Ｋが設けられている。開口Ｋは、支柱本体３１の長手方向の全長に渡って形成され、蓋３４は、裏面側に開口Ｋの周縁に係止される係止用の脚片が設けられている。
また、上記開口Ｋと対向する支柱本体３１の内部には、その長手方向に沿って隔壁板３１１が設けられている。
【００１４】
また、図１（ロ）図と（ハ）図に示すように、上部座板３２と下部座板３３には、それぞれ、排水樋４の挿入孔３２１、３３１が形成され、図１（イ）図に示すように、支柱３の中に排水樋４を挿通可能になされている。なお、排水樋４は、支柱本体３１と隔壁板３１１とによって囲まれた空間に挿入される。
上部座板３２と下部座板３３は、それぞれ、ビス３２３、ビス３３３を、支柱本体３１の内面側に設けられたネジ止め部３１２にねじ込んで取り付けられている。
【００１５】
また、上部座板３２には、図１（ロ）図に示すように、後述する固定ボルト５の挿入孔３２２、３２２が形成されている。
そして、下部座板３３は、図１（ハ）図に示すように、支柱本体３１の外形より大きくなされ、一側にはみ出して取り付けられている。そして、このはみ出した部分にアンカーボルトの挿入孔３３２が形成されている。
【００１６】
一方、ポーチ庇２には、その周縁に角型鋼でなる構造体２１が設けられ、この構造体２１の所定位置に支柱受け金具２２が取り付けられている。この支柱受け金具２２の裏側には、固定ボルト５が螺入されるナットが固着されている。また、ポーチ庇２の裏面側には、軒天井パネル２４が取り付けられ、ポーチ庇２の周囲にパラペット２３が設けられている。
【００１７】
そして、上記支柱本体３１に設けられた蓋３４を外すと、図３に示すように、開口Ｋの内部から上部座板３２を支柱受け金具２２に固定ボルト５で固定可能になされている。すなわち、上部座板３２の固定ボルト挿入孔３２２の下側から挿入された固定ボルト５は、支柱受け金具２２の裏ナットに螺入されて締めつけられ、これによって、上部座板３２と支柱受け金具２２とが締結されている。
【００１８】
上記構成になされた玄関ポーチ１の施工方法と、雨樋４の取付け方法は、以下の手順に従って行う。
支柱３、３を土間Ｄの所定位置に立設し、支柱３の下部座板３３を土間Ｄに設けられたアンカーボルトによって支持固定する。そして、支柱３、３の上にポーチ庇２を設置し、蓋３４を外して支柱本体３１に形成された開口Ｋの上部内側から、上部座板３２の挿入孔３２２に下側から固定ボルト５を挿入し、この固定ボルト５の先端を裏ナットしてあるポーチ庇２の支柱受け金具２２に螺入させ、締めつけ固定する。支柱３の固定が終わると、開口Ｋに蓋３４を取り付けて密閉する。そして、ポーチ庇２の基端部を玄関部の建物Ｔの構造体に取り付けたのち、水切りする。
【００１９】
その後、ポーチ庇２の排水口から排水樋４を挿入し、挿入した排水樋４の先端を支柱３の中に通して土間Ｄの中まで突っ込み、予め土間Ｄに設けられた排水管路に接続する。
【００２０】
（実施例の作用）
本実施例によると、玄関ポーチ１の支柱３の中に、ポーチ庇２の雨水を排水する排水樋４を備えているので、排水樋４が露出せず外観意匠性にすぐれ、且つ、凍結破損しにくい。
【００２１】
さらに、支柱３が断面四角筒体の一つの角部を面取りしてなる五角筒体でなり、この面取り部を玄関ポーチ１の内側に向けて立設されているので、内部に支柱３の出っ張りが出ない形状となり、意匠的に見映えがよい。
【００２２】
さらにまた、支柱３の上端と下端が上部座板３２、下部座板３３付きになされ、支柱３の面取り部に着脱自在の蓋３４付き開口Ｋが設けられ、この蓋３４を外すと開口Ｋ内部から上部座板３２をポーチ庇２の支柱受け金具２２に固定ボルト５で固定可能になされているので、固定ボルト５が外部に露出せず、外観意匠性にすぐれる。
【００２３】
さらにまた、上部座板３２、下部座板３３に排水樋４の挿入孔３２１、３３１が形成され、支柱３の中に排水樋４を挿通可能になされているので、排水樋４の取付け施工性がよい。
そしてまた、支柱３の上端と下端が座板３２、３３付きになされているので、支柱３の上端をポーチ庇２の支柱受け金具２２と、下端を土間Ｄに設けられた基礎ボルトと固定する支柱３の取付け施工性がよい。
【００２４】
図４は、本発明の別の実施例であって、（イ）図は風除け室が設けられた玄関ポーチの正面図、（ロ）図はその側面図、（ハ）図は（イ）図のＣ−Ｃ線に於ける断面図である。
本実施例の玄関ポーチ１は、前記実施例の玄関ポーチ１と同じものであって、異なるところは、玄関ポーチ１の正面側と側面側に引き戸６、７を取り付け、玄関ポーチ１の内部に風除け室８を設けたものである。
【００２５】
上記正面側の引き戸６は、支柱３、３間に取り付けられ、側面側の引き戸７、７は、支柱３と建物Ｔの外壁との間に取り付けられている。
この際、図４（ハ）図に示すように、支柱３が断面四角筒体の一つの角部を面取りしてなる五角筒体でなり、この面取り部を玄関ポーチ１の内側に向けて立設しているので、この面取り部に隣接する辺に引き戸６、７のサッシ枠を取り付けることができ、引き戸７の取り付け施工が容易であり、且つ、風除け室８の内部に支柱３の出っ張りがないので、意匠性もよい。
そしてまた、支柱３の面取り部に蓋３４付き開口Ｋを設け、支柱３の中に排水管４を内蔵しているので、施工性と意匠性を両立できる。
【００２６】
【発明の効果】
請求項１記載の本発明によると、玄関ポーチの支柱の中に排水樋を備えているので、排水樋が露出せず外観意匠性にすぐれ、且つ、凍結破損しにくい。
また、玄関ポーチの内側に支柱の出っ張りが出ない形状となり、ボルト等の支柱上部の固定具が外部に露出せず、外観意匠性にすぐれる。
さらにまた、排水樋の取付け施工性や、支柱の取付け施工性もよい。
【図面の簡単な説明】
【図１】本発明の一実施例を示す支柱であって、（イ）図は正面図、（ロ）図は上端面図、（ハ）図は下端面図、（ニ）図は（イ）図のＡ−Ａ線における断面図、（ホ）図は支柱本体と蓋を分解して示す断面図である。
【図２】（イ）図は模式的に示す玄関ポーチの平面図、（ロ）図は玄関ポーチの斜視図である。
【図３】図２（イ）図のＢ−Ｂ線における断面図である。
【図４】本発明の別の実施例であって、（イ）図は風除け室が設けられた玄関ポーチの正面図、（ロ）図はその側面図、（ハ）図は（イ）図のＣ−Ｃ線に於ける断面図である。
【符号の説明】
１          玄関ポーチ
２          ポーチ庇
３          支柱
３１        支柱本体
３２        上部座板
３３        下部座板
３２１、３３１    排水樋の挿入孔
３２２      固定ボルトの挿入孔
３４        蓋
Ｋ          開口
４          排水樋
５          固定ボルト
６、７      引き戸
８          風除け室
Ｔ          建物
Ｄ          土間
【図１】
0003975010.tif 000002
【図２】
0003975010.tif 000003
【図３】
0003975010.tif 000004
【図４】
0003975010.tif 000005